(57)【要約】【目的】襖の４端面を乾燥を効率的に行える襖の乾燥装置を提供する。【構成】襖の乾燥装置１は、基台２にやや後傾に設けられたフレーム３ａ、３ｂ、３ｃを有し、駆動力で昇降する水平方向の上部襖押さえバー４ａと、基台２付近に設置された水平方向の下部襖押さえバー４ｂが設けられ、さらに、上記２本の水平の襖押さえバー間を水平移動可能であってフレーム３ａ、３ｃの左右に垂直方向の左襖押さえバー３２と右襖押さえバー３３が設けられている。そして、この左襖押さえバー３２と右襖押さえバー３３は垂直方向にその長さを伸縮できる構造としている。【選択図】  図１
2004332342.tif 000002
【特許請求の範囲】
【請求項１】
加熱手段を有する襖押さえバーで襖を挟み込み、襖の端面を乾燥させる襖の乾燥装置において、水平方向に設置された２本の襖押さえバーと垂直方向に設置された２本の襖押さえバーを具備し、襖の４端面を同時に乾燥することができることを特徴とする襖の乾燥装置。
【請求項２】
上記の水平方向に設置された２本の襖押さえバーと垂直方向に設置された２本の襖押さえバーのいずれか一方の方向の２本の襖押さえバーの長さが調整可能とされていることを特徴とする請求項１記載の襖の乾燥装置。
【請求項３】
長さが調整可能とされている２本の襖押さえバーの少なくとも１本は襖の端面に沿えるように揺動可能であることを特徴とする請求項２記載の襖乾燥装置。
【請求項４】
揺動可能に構成された２本の襖押さえバーが着脱自在に設けられたことを特徴とする請求項３記載の襖乾燥装置。
【請求項５】
揺動可能に構成されていない側の２本の襖押さえバーの少なくとも１本には、発熱体と弾性変形する押さえ部材と上記発熱体と上記押さえ部材を覆う伝熱体からなる加熱部を構成し、襖枠に釘が残った状態や襖端面が傾斜した状態でも、上記押さえ部材が弾性変更して襖を挟み込むことにより襖の乾燥ができることを特徴とする請求項３、請求項４記載の襖の乾燥装置。
【請求項６】
加熱手段を有する襖押さえバーで襖を挟み込み、襖の端面を乾燥させる襖の乾燥装置において、水平方向又は垂直方向に設置された２本の第１襖押さえバーと上記２本の第１襖押さえバーと直交する方向に２本の長さ調整可能かつ移動可能な第２襖押さえバーを具備し、第１襖押さえバーの少なくとも１本が昇降可能と構成され、上記の昇降によって襖及び第２襖押さえバーを挟み込むことによって襖の４端面を同時に乾燥することができることを特徴とする襖の乾燥装置。
【請求項７】
襖の４端面を襖押さえバーで挟み込み、所定時間挟み込んだ状態で乾燥を行い、所定時間経過後に第１襖押さえバーによる襖の挟み込みを解除することを特徴とする請求項６記載の襖の乾燥装置。
【発明の詳細な説明】
【０００１】
【産業上の利用分野】
本発明は、襖を製造する工程中で襖枠（下地）に襖紙を貼付した際に襖枠外周のかまち部を乾燥するために利用される。この乾燥を本発明の装置で行うことにより確実に框面に襖紙を貼り付けさせることができ、短時間で次の行程に移ることができるという襖乾燥装置に関するものである。
【０００２】
【従来の技術】
襖は、長方形の襖枠に３枚の受け紙を糊で下貼りし、次にその上に襖紙（表紙）を上貼りし、しかるのち襖枠の四周のかまちに上縁、立て縁、下縁をれぞれ釘で取り付け、表裏両面に引き手を取り付けて作られる。
【０００３】
上貼りの際は、襖紙を襖枠の大きさよりも縦横にそれぞれ約２ｃｍ広く裁断し、その裏面全体にうすい糊を、また四周に濃い糊を塗って貼付け、この襖紙の四周を折曲げて襖枠の外周面に押さえつけ、しかるのち自然乾燥させていた。
【０００４】
そこで糊付け、上貼りした襖枠を２本の押さえバーで挟んで押さえバーに張設した面発熱体を襖枠の対向する２辺の周面に圧接させ、この面発熱体に通電することにより発熱させて、襖枠の２辺の周面を短時間で乾燥する装置（実公平５−３１５１５号公報）が知られている。
【０００５】
そしてさらに、襖枠の周面に釘が取り付いた状態でも、襖枠を押さえることができて、さらに熱により乾燥を早くさせるという襖の乾燥装置も本出願人により提案（特開２００２−９７８５３号公報）され知られている。
【０００６】
【発明が解決しようとする課題】
従来知られている特開２００２−９７８５３号公報においては、▲１▼長さ方向の乾燥はできるが縦方向はできない。▲２▼また襖の乾燥のための挟み込み等全て作業者が手作業でやらねばならず、他の作業も効率的に行いながらするには乾燥工程に手がかかりすぎる装置となってしまっていた。
【０００７】
実公平５−３１５１５号公報においては、▲１▼長い面発熱体を使用しており、乾燥のために接していない部分の面発熱体も加熱した状態となるためエネルギーコストが余分にかかる構成となってしまっていた。▲２▼また面発熱体が損傷してしまった場合には、また長い面発熱体を用意して交換しなければならず、コストがかかってしまう構造となっていた。▲３▼また、流体シリンダを利用して摺動する方向が水平方向となっており、襖の縦横の両方を乾燥する場合には設置面積を大きく取ってしまう装置となってしまっていた。▲４▼襖枠に釘が残っている場合は乾燥させることができず、乾燥をするためには釘を取らなければならなかった。また実公平５−３１５１５号公報においては、襖の四周を同時に乾燥することについても開示があるが、左右と上下の押さえバーと襖の長さが同じ時のみしか同時にはできないものであった。本発明は上記の課題を解決するために提供されるものである。
【０００８】
【課題を解決するための手段】
本発明の請求項１は、加熱手段を有する襖押さえバーで襖を挟み込み、襖の端面を乾燥させる襖の乾燥装置において、水平方向に設置された２本の襖押さえバーと垂直方向に設置された２本の襖押さえバーを具備し、襖の４端面を同時に乾燥することができることを特徴とする襖の乾燥装置である。
【０００９】
水平方向に設置された２本の襖押さえバーと垂直方向に設置された２本の襖押さえバーを具備し、襖の４端面を同時に乾燥することができるため効率的に乾燥することができる。
【００１０】
本発明の請求項２は、上記の水平方向に設置された２本の襖押さえバーと垂直方向に設置された２本の襖押さえバーのいずれか一方の方向の２本の襖押さえバーの長さが調整可能とされていることを特徴とする請求項１記載の襖の乾燥装置である。
【００１１】
請求項１の発明を、水平方向に設置された２本の襖押さえバーと垂直方向に設置された２本の襖押さえバーのいずれか一方の方向の２本の襖押さえバーの長さが調整可能とされている構成に限定した発明であり、長さが調節できる構成として襖の４端面を確実に乾燥させることができる。
【００１２】
本発明の請求項３は、長さが調整可能とされている２本の襖押さえバーの少なくとも１本は襖の端面に沿えるように揺動可能であることを特徴とする請求項２記載の襖乾燥装置である。
【００１３】
襖の端面は実際には水平でなく多少傾斜していることも多いので、その傾斜にぴったりと沿うようにしたものであり、この発明により、多少傾斜している襖の端面でも確実に乾燥させることができるのである。
【００１４】
本発明の請求項４は、揺動可能に構成された２本の襖押さえバーが着脱自在に設けられたことを特徴とする請求項３記載の襖乾燥装置である。本発明によって、揺動可能に構成された２本の襖押さえバーが着脱自在とすることにより、従来と同様の片側づつの作業と４端面同時との使い分けができる。
【００１５】
本発明の請求項５は、揺動可能に構成されていない側の２本の襖押さえバーの少なくとも１本には、発熱体と弾性変形する押さえ部材と上記発熱体と上記押さえ部材を覆う伝熱体からなる加熱部を構成し、襖枠に釘が残った状態や襖端面が傾斜した状態でも、上記押さえ部材が弾性変更して襖を挟み込むことにより襖の乾燥ができることを特徴とする請求項３、請求項４記載の襖の乾燥装置である。本発明により、襖に釘が残った状態や襖の端面が傾斜している状態でも確実に襖を挟み込んで乾燥することができるのである。
【００１６】
本発明の請求項６は、加熱手段を有する襖押さえバーで襖を挟み込み、襖の端面を乾燥させる襖の乾燥装置において、水平方向又は垂直方向に設置された２本の第１襖押さえバーと上記２本の第１襖押さえバーと直交する方向に２本の長さ調整可能かつ移動可能な第２襖押さえバーを具備し、第１襖押さえバーの少なくとも１本が昇降可能と構成され、上記の昇降によって襖及び第２襖押さえバーを挟み込むことによって襖の４端面を同時に乾燥することができることを特徴とする襖の乾燥装置である。
【００１７】
本発明によって、長さ調整可能な第２襖押さえバーを第１襖押さえバーで挟み込むことで襖の大きさが種々の大きさであっても確実に襖の４端面を挟み込むことができ、また第１襖押さえバーの少なくとも１本が昇降できるので襖の載置がしやすいという乾燥装置にできるのである。
【００１８】
本発明の請求項７は、襖の４端面を襖押さえバーで挟み込み、所定時間挟み込んだ状態で乾燥を行い、所定時間経過後に第１襖押さえバーによる襖の挟み込みを解除することを特徴とする請求項６記載の襖の乾燥装置である。
【００１９】
本発明によって、自動化の進んだ襖の４端面を同時に乾燥することができる襖の乾燥装置の提供が可能となるのである。
【００２０】
【発明の実施の形態】
本発明の実施の形態の一例を説明する。図１は本発明の襖の乾燥装置１の正面図および側面図である。襖の乾燥装置１は、基台２にやや後傾に設けられたフレーム３ａ、３ｂ、３ｃを有し、駆動力で昇降する水平方向の上部襖押さえバー４ａと、基台２付近に設置された水平方向の下部襖押さえバー４ｂが設けられ、さらに、上記２本の水平の襖押さえバー間を水平移動可能であってフレーム３ａ、３ｃの左右に垂直方向の左襖押さえバー３２と右襖押さえバー３３が設けられている。そして、この左襖押さえバー３２と右襖押さえバー３３は垂直方向にその長さを伸縮できる構造としている。この水平方向の上部襖押さえバー４ａと下部襖押さえバー４ｂ及び、垂直方向の左襖押さえバー３２と右襖押さえバー３３で襖を四方から挟み込み四方の乾燥を同時にできるという構成となっている。そして上記の上部襖押さえバー４ａの昇降や垂直方向の襖押さえバーの移動に邪魔にならない位置に操作ボックス８が設けられている。
【００２１】
上部襖押さえバー４ａは、図２から図４に示すように、左右のフレーム３ａ、３ｃの上端、及び下端に設けられたスプロケット５に張られたチェーン６に設けられたブラケット７に取り付けられ、駆動力（例えばモーターなど）でフレーム３ａ、３ｂ、３ｃに沿って昇降できる構成となっている。また駆動力はフレーム３ａ側もしくはフレーム３ｃ側のいずれかだけにかけるようにして上端または下端の左右のスプロケット５を軸で連結しておくとよい。もちろん両側に駆動力を設けて同期させて昇降をさせるように制御してもよい。
【００２２】
また、上部襖押さえバー４ａはブラケット７に対しても一定範囲昇降ができる構成としている。上部襖押さえバー４ａは、側面視略コの字状のハンガー１０に取り付けられている。このハンガー１０のブラケット７のガイド部７１に保持されている。ハンガー１０には２本のガイド１１ａ、１１ｂが設けられガイド１１ａには第１バネ１２ａと第２バネ１２ｂが設けられている。第１バネ１２ａと第２バネの間にスペーサー１３が設けられている。このスペーサー１３はガイド１１ａ、１１ｂの太さよりも少し大きな穴が設けられており第１バネ１２ａと第２バネ１２ｂの働きを確実にさせる働きをするものである。そして第１バネ１２ａの方が第２バネ１２ｂよりバネ力が弱く設定されている。
【００２３】
ハンガー１０には、検知スイッチ１４が設けられており、襖を下部襖押さえバー４ｂとの間に挟み込んだ際にブラケット７のストライカー部７２が当接したことを検知するものである。
【００２４】
垂直方向の左襖押さえバー３２と右襖押さえバー３３はそれぞれフレーム３ａ、３ｃに取り付けたブラケット３０に設けたレール３１に沿って水平方向への移動が可能となっている。図６に示すように、レール３１に対してスライド可能に設けられたベース３４に回動支点３５と回動ピン３６で垂直方向に対して左右に揺動可能な揺動ベース３７が設けられている。左側襖押さえバー３２はこの揺動ベース３７に設置され、襖Ｆの曲がりやコケに対してぴったり沿える構造となっている。この揺動量は垂直方向に対して左右に約１度程度づつできる程度としている。
【００２５】
次に左襖押さえバー３２の構造について説明する。左襖押さえバー３２は２つの長いパイプ状の押さえベース３８が揺動ベース３７に固定されている。この押さえベース３８に下部ヒーターローラ３９が設けられ、ヒーター５１の一端が固定されている。また、押さえベース３８にはスライドベース４０が垂直方向に移動するための移動レール４１が内部に設けられている。上記移動レール４１に沿って垂直方向に移動するスライドベース４０には上部第１ヒーターローラ４２と上部第２ヒータローラ４３が設けられ、図５に示すようにヒーター５１が設置され、ヒーター端部がスライドベース４０に固定されている。ヒーター５１は上部第１ヒーターローラ４２で折り返され、上部第２ヒーターローラ４３で再び折り返される。この状態でヒーター５１はピンと張った状態となっているため、スライドベース４０が昇降して左襖押さえバー３２の長さを調節したとしても、襖Ｆに触れる部分のヒーター５１はテンションがかかった状態で長さの調節が可能に構成されている。図５においては、ヒーター５１は側面に出ているがその他の部材等はカバーされて見える状態となっていないが説明上内部構造を示すように図示している。また図５（ａ）ではガイド部４４側の構造を省略し、長さ調節の説明をするための構造を図示している。
【００２６】
図５に示すように上部第２ヒータローラの下側にガイド部４４を設け、パイプ状の押さえベース内をガイドする。また、スライドベース４０の上部第１ヒーターローラ４２が設けられた側の下部端部にはストッパー４５が設けられ、そのストッパー４５にはシャフト４６が嵌合されている。このシャフト４６は固定金具４７に取り付けられており、この固定金具４７は位置決めレバー４８とで押さえベース３８の長穴３８ａの内部で位置調整可能に固定される。この固定金具４７とストッパー４５間のシャフト４６へバネ４９を設置することにより、位置決めレバー４８で固定した位置において、スライドベースはさらにバネ圧分上下移動が可能に構成されている。右襖押さえバー３３は左襖押さえバー３２と左右対称の構造であるため説明は省略する。垂直方向の押さえバーで乾燥させる側は襖には釘がないので普通の面発熱体等釘の有無を考慮せずにヒーターの採用が可能である。
【００２７】
上部襖押さえバー４ａと下部襖押さえバー４ｂには襖の周面を乾燥させるために、加熱部１５（図７（ａ）参照）がそれぞれ設けられている。この加熱部１５は特開２００２−９７８５３号公報に開示されているように、襖枠に釘が残っている状態でも乾燥作業ができるように構成しており、内部に面発熱体１５ａ、熱に強いウレタンやシリコン等の弾性体１５ｂ、プレート１５ｃを有し、金属の細い糸で布帛のように目の詰まった状態に織られた伝熱体１５ｄで覆われている。そして、それぞれのバーに対して内部のプレート１５ｃを用いてネジ固定されている。
【００２８】
面発熱体１５ａと弾性体１５ｃの位置を入れ替えて配置してもよいが、そうするとネジの頭等の影響を面発熱体１５ａが受けることになるため、なるべく面発熱体を損傷しないように配置することが望ましい。そのために弾性に富んだ熱伝導率のよい伝熱体で覆っておくことが重要なのである。もちろん図７（ｂ）のように面発熱体１５ａを設置してから弾性体１５ｂとプレート１５ｃを伝熱体１５ｄで覆った加熱部１５を取付部材１８で加熱部１５の側面側からプレート１５ｃを抱き込むように複数の保持部１８ａを伝熱体１５ｄを貫通させて保持するようにしてもよい。こうしておくと、万一加熱部１５や、面発熱体１５ａが損傷して交換しなければならない状況となってもメンテナンスがしやすい構造とできるのである。
【００２９】
操作ボックスの一例の実施の形態を図８に示す。２１は電源スイッチであり、２１ａは電源ランプである。２２は予熱スイッチであり、電源スイッチ２１を入れてから予熱を開始するスイッチでこのスイッチを押すと、加熱部は乾燥時間を設定するタイマー２７の設定時間通電する。２３はヒーター加熱中を知らせるランプである。２４は襖枠に釘が残っている場合に押付け力を大きくする際に使用するスイッチである。２５は機械の動作の手動と自動の切替スイッチである。２６は押付け力を変える時に、その押付け力を調整するためのタイマーである。押付け力の調整については後述する。２７は乾燥時間を設定するタイマーである。
【００３０】
フットスイッチＳ（図１参照）は操作をしやすくするために設けており、スイッチが２つついているものが適当である、スイッチ２５を手動にしたときは片方が上昇、もう片方が下降、自動にしたときには片方が運転、片方が停止・解除として使用できる。
【００３１】
次に本発明の襖の乾燥装置の動作について説明する。
【００３２】
２４のスイッチで押付け力の強弱、２６のスイッチで押付け力の調整、２７のスイッチで乾燥時間の設定をまず行っておき、装置の電源を入れ、面発熱体（ヒーター）を予熱しておく。常に面発熱体（ヒーター）を加熱状態としてもよいが、伝熱体１５ｄはある程度蓄熱ができるため、不要な電力を消耗させないため乾燥温度に短時間で上昇させられるよう連続運転の初めに１度行うだけでよい。
【００３３】
予熱が終了すれば、上貼りの完了した襖Ｆを乾燥させたい側が乾燥部１５に対するように襖Ｆを載置する。
【００３４】
襖Ｆを載置し、左襖押さえバー３２と右襖押さえバー３３の長さを位置決めレバー４８で襖の巾より少しだけ長く調整する。そして、取手５０を持って左襖押さえバー３２と右襖押さえバー３３を水平方向へ移動し襖Ｆを挟み込む。襖Ｆに曲がりやコケがあっても既に説明したようにヒーター５１が襖Ｆにぴったり沿うように揺動して挟むことができる。この状態で２５のスイッチを自動にしてフットスイッチＳの運転スイッチをオンする。上部襖押さえバー４ａが下降を開始し、図９（ａ）に示すように加熱部１５が襖Ｆの端面（かまち）に当接する。このとき図示はしていないが左襖押さえバー３２と右襖押さえバー３３も上部襖押さえバー４ａで押さえられ、バネ４９が縮められて左右の襖押さえバーが襖Ｆの巾と同じ長さとなる。このとき上部第１ヒーターローラ４２と上部第２ヒーターローラ４３によりヒーター５１はテンションがかかった状態のままで長さ調節されたるみが発生したりすることがない。
【００３５】
加熱部１５は襖Ｆの端面に応じて弾性変形する。そして襖Ｆで支えられる状態となり、ここからはブラケット７のみが下降をすることとなり、第１のバネ１２ａがハンガー１０のガイド部７１によって圧縮される。
【００３６】
このブラケット７の下降により図９（ｂ）のようにストライカー部７２が検知スイッチ１４を作動させる。図に示すようにブラケット７はＸの距離だけ下降した状態となる。
【００３７】
検知スイッチ１４が作動すると、スイッチ（タイマー）２６で設定した時間経過した後、ハンガー１０下降の駆動力が停止するように制御される。すなわちスイッチ２６で設定した時間により検知スイッチ１４作動後の下降時間を調整することによって襖Ｆへの上部襖押さえバー４ａの押付け力を調整できるようにしているのである。
【００３８】
２４のスイッチが弱設定のときは所定時間上部襖押さえバー４ａが下降して止まる、２４のスイッチが強設定になっている場合には釘が出張っている分、すなわちスイッチ２６で設定した時間からさらに所定時間下降して止まるという動作となる。つまり、図９（ｃ）に示すように、弱設定の時はＹの距離まで下降、強設定の時は弱設定の場合よりさらに所定時間分下降させるという制御を行いＹ’の距離まで下降させるという制御を行うのである。これにより第２のバネ１２ｂをどれだけ圧縮させるかを調整し、結果として襖Ｆに対して加熱部１５の押付け力を調整するのである。この２６のタイマー設定を長くしておくと、襖枠に釘が残った状態でも襖の曲がりの大きい場合でも、確実に押しつけて乾燥させることができる。（図１０参照）釘のない部分は強く押しつけることになるが、襖枠を壊してしまうようなことはなく確実に乾燥させることができる。また左襖押さえバー３２と右襖押さえバー３３の長さも確実に襖の巾に調整される。
【００３９】
上記の制御はフレーム３ａ、３ｃのいずれの側にも設置しており、いずれかが先に検知すれば上記の動作となる。
【００４０】
長方形に近い襖を乾燥させる場合は２４のスイッチは弱でよく、敷居や柱にそって大きな曲がりのある襖や、襖枠に釘の残った状態の襖を乾燥させる場合に２４のスイッチを強とし、その程度によって２６のタイマー設定を調節して確実に加熱部１５を襖端面に押しつけて乾燥させるというものである。大きな曲がりのある襖Ｆの乾燥の場合等においては、上部襖押さえバー４ａの押しつけにより、左襖押さえバー３２か右襖押さえバー３３が襖から離れてしまうことがあるかもしれない。しかし、その場合には作業者が離れた側の押さえバーを手で押してやれば簡単に襖に沿わすことができ問題なく対応できる。
【００４１】
２６のスイッチで設定時間下降した後、２７のスイッチで設定された時間だけ加熱部１５の面発熱体１５ａ及びヒーター５１を加熱して襖を乾燥させる。
【００４２】
乾燥時間が経過すると駆動力が逆転し、ハンガー１０を襖の取り出しに邪魔にならない位置へ上昇させ乾燥動作が完了する。加熱部１５は弾性体１５ｂの復元によってほぼ押付け前の形状に復元している。
【００４３】
上記の乾燥動作により、作業者は実際には襖Ｆの載置後、左右の襖押さえバーの調整と挟み込みのみでフットスイッチＳで運転スイッチを入れるだけで乾燥終了（ハンガー上昇）までは他の作業が行えるため大変効率的に多種の作業が行える。また一度に四方ともの乾燥ができるため襖の向きを変える必要もなくなり、二辺づつ行う装置に対して時間効率が倍以上にできる。
【００４４】
また、上記の実施の形態では下部襖押さえバー４ｂを固定した構成としたが、上部襖押さえバー４ａ同様に下部襖押さえバー４ｂも昇降する構成としてもよい。この場合には、襖Ｆはフレーム３ａ、３ｂ、３ｃに沿って下部襖押さえバー４ｂによって昇降することとなり、上部襖押さえバー４ａと下部襖押さえバー４ｂによって挟み込まれるという動作となる。襖は重量が軽いため、モータは一つで上部襖押さえバー４ａと下部襖押さえバー４ｂの両方を昇降可能とできる。
【００４５】
その他の実施例として、ハンガー部１０の第１バネ、第２バネの機構を下押さえバー４ｂ側に設けてもよい。また、図１１に示すように、第１バネ、第２バネの機構を使用せずにハンガー１０にソレノイド、エアシリンダー等のアクチュエータ１６を取付け、上部襖押さえバー４ａに襖Ｆの端面を検知するセンサ１７を適宜な位置に設けて、襖Ｆの端面（かまち）をセンサ１７が検知した時に、ハンガー１０の下降を停止し、アクチュエータ１６を作動させるという構成としてもよいのである。アクチュエータとしてエアシリンダーを用いた場合には、圧力調整により押付け力が適宜変更することができる構成とできる。
【００４６】
また、上記では長さを調整できる襖押さえバーを垂直方向に設置したが、水平方向に設置し、釘に対応できる押さえバー（上記の実施の形態における上部襖押さえバー、下部襖押さえバー）を垂直に設置して構成しても良い。そうすると、襖を立てた状態で乾燥させることとなり、乾燥装置自体のスペースをさらに小さくすることができる。
【００４７】
【発明の効果】
以上に詳述したように、本件発明によって、設置場所を取らず、襖の乾燥において自動化が図れ、作業者が他の作業を行いながら四方の乾燥が一度にできるという効率的な襖の乾燥装置が提供できる。
【図面の簡単な説明】
【図１】本発明の実施形態の例を示す正面図および側面図
【図２】上部襖押付けバー部の構成を説明する側面図
【図３】上部襖押付けバー部の構成を説明する背面図
【図４】上部襖押付けバー部の構成を説明する平面図
【図５】左襖押さえバーの構成を説明する正面図及び側面図
【図６】左襖押さえバーの構成を説明する正面図
【図７】加熱部の構成を説明する側面図
【図８】操作ボックスの例を説明する正面図
【図９】上部襖押付けバーが襖を押付けて乾燥する動作を説明する図
【図１０】襖枠に釘が残っている襖の乾燥状態を説明する側面図
【図１１】上部襖押付けバー部の別の実施の形態の構成を説明する側面図
【符号の説明】
Ｆ    襖
Ｓ    フットスイッチ
１    乾燥装置
２    基台
３ａ、３ｂ、３ｃ  フレーム
４ａ  上部襖押さえバー
４ｂ  下部襖押さえバー
５    スプロケット
６    チェーン
７    ブラケット
７１  ガイド部
７２  ストライカー部
８    操作ボックス
１０  ハンガー
１１ａ、１１ｂ  ガイド
１２ａ  第１バネ
１２ｂ  第２バネ
１３    スペーサー
１４    検知スイッチ
１５    加熱部
１５ａ  発熱体
１５ｂ  弾性体
１５ｃ  プレート
１５ｄ  伝熱体
１６    アクチュエータ
１７    センサ
１８    取付部材
１８ａ  保持部
２１    電源スイッチ
２１ａ  電源ランプ
２２    予熱スイッチ
２３    ランプ
２４    スイッチ
２５    切り換えスイッチ
２６    タイマー
２７    タイマー
３０    ブラケット
３１    レール
３２    左襖押さえバー
３３    右襖押さえバー
３４    ベース
３５    回動支点
３６    回動ピン
３７    揺動ベース
３８    押さえベース
３８ａ  長穴
３９    下部ヒーターローラ
４０    スライドベース
４１    移動レール
４２    上部第１ヒータローラ
４３    上部第２ヒータローラ
４４    ガイド部
４５    ストッパー
４６    シャフト
４７    固定金具
４８    位置決めレバー
４９    バネ
５０    取手
５１    ヒーター
【図１】
2004332342.tif 000003
【図２】
2004332342.tif 000004
【図３】
2004332342.tif 000005
【図４】
2004332342.tif 000006
【図５】
2004332342.tif 000007
【図６】
2004332342.tif 000008
【図７】
2004332342.tif 000009
【図８】
2004332342.tif 000010
【図９】
2004332342.tif 000011
【図１０】
2004332342.tif 000012
【図１１】
2004332342.tif 000013